(57)【要約】  本発明は、脱毛器用アタッチメント、又は、脱毛器であって、中央心棒軸の周りの駆動運動のために配置された心棒と、心棒とともに回転するために心棒の第１の端部にて配置され、少なくとも第１の機能面を有する端板と、機能面を有する第１の可動クランプ要素と、を有し、端板の第１の機能面は、第１の可動クランプ要素の機能面と対面して配置され、第１の可動クランプ要素は、端板の方に、かつ、その端板から離れるように繰り返し移動されるように配置され、繰り返し、２つの機能面が互いに当接する閉位置が取得されるようになっており、端板は、脱毛器又は脱毛器用アタッチメントの外側部品である、脱毛器用アタッチメント、又は、脱毛器に関する。
2016516512.tif 000002
【特許請求の範囲】
【請求項１】
脱毛器用クランプヘッド（１００）であって、
中央心棒軸（Ａ）の周りの駆動運動のために配置された心棒（４０）と、
軸方向の運動に対して静止している静止クランプ要素（１１０、１４０、１７０）であって、前記心棒（４０）とともに回転するために配置され、少なくとも第１の静止機能面（１１１Ａ）を有する、静止クランプ要素（１１０、１４０、１７０）と、
機能面（１２１Ａ）を有する第１の可動クランプ要素（１２０Ａ）と、を備え、
前記静止クランプ要素（１１０、１４０、１７０）の前記第１の機能面は、前記第１の可動クランプ要素（１２０Ａ）の前記機能面（１２１Ａ）と対面して配置され、
前記第１の可動クランプ要素（１２０Ａ）は、前記静止クランプ要素（１１０、１４０、１７０）の方に、かつ、該静止クランプ要素から離れるように繰り返し移動されるように配置され、これにより、繰り返し、前記２つの機能面が互いに当接する閉位置が取得されるようになっており、
前記脱毛器用クランプヘッド（１００）は、前記第１の可動クランプ要素（１２０Ａ）に関連した少なくとも第１のアクチュエータ（１３０Ａ）を更に備え、前記第１のアクチュエータ（１３０Ａ）は、前記静止クランプ要素（１１０、１４０、１７０）の方へ軸方向に可動であるように配置され、これにより、前記第１の可動クランプ要素（１２０Ａ）の前記機能面及び前記第１の機能面（１１１Ａ）は、前記閉位置に移動されるようになっており、
少なくとも前記第１の可動クランプ要素（１２０Ａ）及び前記第１のアクチュエータ（１３０Ａ）は、一体要素として射出成形される、脱毛器用クランプヘッド（１００）。
【請求項２】
軸方向に少なくとも弾性であり、かつ、前記心棒に対して軸方向の位置関係で固定された第１のストッパー要素に対して配置された第１の端部を有する弾性要素と
前記弾性要素の第２の端部に当接し、かつ、端板の方へ軸方向に隆起している軸方向の突出部を有する機能面を有する圧力板と、を更に備える、請求項１に記載の脱毛器用クランプヘッド。
【請求項３】
前記第１のアクチュエータは、前記圧力板の前記機能面と少なくとも間欠的に摺り接触するように配置され、
前記第１のアクチュエータは、前記圧力板の前記軸方向の突出部に関して摺動するときに前記端板の方へ軸方向に可動であるように配置され、これにより、前記第１の可動クランプ要素（１２０Ａ）の前記機能面及び前記端板の前記第１の機能面は、前記閉位置に移動されるようになっている、請求項２に記載の脱毛器用クランプヘッド。
【請求項４】
第２のクランプ要素に関連した少なくとも第２のアクチュエータを備え、該第２のクランプ要素は、前記第１の可動クランプ要素（１２０Ａ）から円周方向に変位して配置され、任意で、前記第２のクランプ要素は、前記第１の可動クランプ要素（１２０Ａ）から軸方向にも変位される、請求項１〜３のいずれか一項に記載の脱毛器用アタッチメント又は脱毛器。
【請求項５】
前記静止クランプ要素は、前記第２のクランプ要素の機能面と対面して配置された第２の機能面を有し、前記静止クランプ要素の前記第２の機能面は、前記静止クランプ要素の前記第１の機能面から軸方向に変位される、請求項１〜４のいずれか一項に記載の脱毛器用クランプヘッド。
【請求項６】
前記静止クランプ要素は、それぞれ、互いから軸方向に変位されるいくつかの機能面を含み、前記静止クランプ要素の前記機能面の前記軸方向の変位は、各機能面について前記静止クランプ要素から異なる軸方向の突出部、又は、前記静止クランプ要素の一部の異なる厚さによって提供される、請求項１〜５のいずれか一項に記載の脱毛器用クランプヘッド。
【請求項７】
前記静止クランプ要素に対して軸方向にかつ角度的にロックされる閉鎖要素が設けられ、特に前記ロックは、少なくとも１つの軸方向に延在するピンにより少なくともある程度実現される、軸方向に延在する接続構造体によって実現される、請求項１〜６のいずれか一項に記載の脱毛器用クランプヘッド。
【請求項８】
前記第１のアクチュエータを案内する少なくとも第１の案内構造体を備え、前記第１の案内構造体は、前記少なくとも１つの軸方向に延在するピンなどの前記軸方向に延在する接続構造体の一部によって実現される、請求項１〜７のいずれか一項に記載の脱毛器用クランプヘッド。
【請求項９】
前記閉鎖要素及び前記静止クランプ要素をロックする前記軸方向に延在する接続構造体の一部である、軸方向に延在する接続構造体によって、前記静止クランプ要素に対して軸方向にかつ角度的にロックされるセンタプレートを更に備える、請求項１〜８のいずれか一項に記載の脱毛器用クランプヘッド。
【請求項１０】
第１の更なるクランプ要素の機能面と対面して配置される少なくとも第１の機能面を更に備え、前記機能面の両方は、前記静止クランプ要素の方にかつ該静止クランプ要素から離れるように繰り返し移動されるように配置され、これにより、繰り返し、前記２つの機能面が互いに当接する閉位置が、取得されるようになっている、請求項１〜９のいずれか一項に記載の脱毛器用クランプヘッド。
【請求項１１】
少なくとも第１のばね要素は、前記第１の可動クランプ要素（１２０Ａ）と前記静止クランプ要素との間に配置され、これにより、前記静止クランプ要素の前記第１の機能面及び前記第１の可動クランプ要素（１２０Ａ）の前記機能面は、軸方向の幅を有する間隙が前記２つの機能面の間に延在する開位置に付勢されるようになっている、請求項１〜１０のいずれか一項に記載の脱毛器用クランプヘッド。
【請求項１２】
前記圧力板は、前記心棒が時計方向に回転されたときの前記心棒の周りの第１の角度位置と、前記心棒が反時計回りへ回転されたときの第２の角度位置とを有するように配置される、請求項２〜１１の一項に記載の脱毛器用クランプヘッド。
【請求項１３】
前記クランプヘッドは、前記ハンドル及び前記クランプヘッドの両方に対して設けられたスナップ要素によって、脱毛器のハンドルに対して装着可能及び該脱毛器の該ハンドルから離脱可能であるように配置される、請求項１〜１２のいずれか一項に記載のクランプヘッド。
【請求項１４】
前記一体成形された第１のアクチュエータ及び第１の可動クランプ要素（１２０Ａ）は、横断面がＬ字形であり、前記第１の可動クランプ要素（１２０Ａ）部分は、前記第１のアクチュエータ部分と直交する、請求項１〜１３のいずれか一項に記載のクランプヘッド。
【請求項１５】
前記第１の可動クランプ要素（１２０Ａ）は、前記中央心棒軸に沿った方向に移動されるように配置され、前記第１の可動クランプ要素（１２０Ａ）は、前記心棒に対する任意の位置において前記中央心棒軸に対して直交したままであるように配置される、請求項１〜１４のいずれか一項に記載のクランプヘッド。
【請求項１６】
請求項１〜１５のいずれか一項に記載のクランプヘッドを備える脱毛器であって、前記静止クランプ要素は、前記心棒の第１の端部にて配置される端板として形成され、前記端板は、前記脱毛器の外側ハウジング部品又は脱毛器用アタッチメントである、脱毛器。
【請求項１７】
前記中央心棒軸に沿って延在するか、又は前記中央心棒軸に平行に延在する駆動軸を有する駆動装置を更に備える、請求項１６に記載の脱毛器。
【請求項１８】
請求項１に記載のクランプヘッドを備える脱毛器用アタッチメント又は脱毛器であって、前記クランプヘッドは、前記アタッチメント又は脱毛器の側方側にて設けられる、脱毛器用アタッチメント又は脱毛器。
【発明の詳細な説明】
【技術分野】
【０００１】
本発明は、脱毛器用アタッチメント、又は、毛髪をクランプするクランプヘッドを有する脱毛器に関する。
【背景技術】
【０００２】
脱毛器、クランプ要素が顔面皮膚の小さい領域の正確な処理のために脱毛器のハウジング縁部近傍に配置される、特に顔の脱毛に好適な脱毛器が提供され得ることが知られている。そのような脱毛器が、文書欧州特許第０  ６０１  ００３  Ａ１号で一般的に説明されている。例えば、欧州特許第Ａ１−０９２１７４４号（同特許内の図６）で開示されているように、可動クランプ要素に当接する端部部分を有するアクチュエータ要素を提供することは知られている。クランプヘッドが回転する中央心棒軸の方向のアクチュエータの移動によって、上記の可動クランプ要素は、アクチュエータがクランプ要素及び別のクランプ要素の向かい合う機能面間で当接する部分と反対側で毛髪を抜くために設けられた間隙が閉じられるように、中央心棒軸に対して傾斜した位置に移動されることになる。
【先行技術文献】
【特許文献】
【０００３】
【特許文献１】欧州特許第０  ６０１  ００３  Ａ１号
【特許文献２】欧州特許第Ａ１−０９２１７４４号
【発明の概要】
【発明が解決しようとする課題】
【０００４】
本開示の目的は、特に正確な顔の脱毛に好適であり、かつ、既知の装置と比較して改良されているクランプヘッド、脱毛器、又は脱毛器用アタッチメントを提供することである。
【課題を解決するための手段】
【０００５】
一態様により、脱毛器用クランプヘッドであって、中央心棒軸の周りの駆動運動のために配置された心棒と、軸方向の運動に対して静止している静止クランプ要素であって、心棒とともの回転のために配置され、少なくとも第１の静止機能を有する、静止クランプ要素と、機能面を有する第１の可動クランプ要素と、を備え、静止クランプ要素の第１の機能面は、第１のクランプ要素の機能面と対面して配置され、第１のクランプ要素は、静止クランプ要素の方に、かつ、その静止クランプ要素から離れるように繰り返し移動されるように配置され、繰り返し、２つの機能面が互いに当接する閉位置が取得されるようになっており、この脱毛器用クランプヘッドは、第１のクランプ要素に関連した少なくとも第１のアクチュエータを更に備え、第１のアクチュエータは、静止クランプ要素の方へ軸方向に可動であるように配置され、これにより、第１のクランプ要素の機能面及び第１の機能面は、閉位置に移動されるようになっており、少なくとも第１のクランプ要素及び第１のアクチュエータは、一体要素として実現される、脱毛器用クランプヘッドを提供する。
【０００６】
一態様により、提案するアタッチメントと、ユーザの手に保持されるハンドルを備え、ハンドルは、中央心棒軸に対して傾斜される保持軸を画定する、脱毛器を提供する。
【図面の簡単な説明】
【０００７】
本開示は、特に図を参照して、脱毛器用アタッチメント又は脱毛器の例示的な実施形態の詳細な説明により更に説明される。図面中、
【図１Ａ】アタッチメントを含む脱毛器の例示的な実施形態の描写である。
【図１Ｂ】図１Ａに示すような脱毛器の中心を通って切断された長手方向の横断面図である。
【図２Ａ】脱毛器用アタッチメントの例示的な実施形態の描写である。
【図２Ｂ】図２Ａに示すような、長手方向に切断されたむき出しの脱毛器用アタッチメントを示す。
【図３Ａ】本開示によるクランプヘッドの例示的な実施形態の斜視図である。
【図３Ｂ】図３Ａに示すクランプヘッドの分解図である。
【図３Ｃ】図３Ａに示すような長手方向に切断されたむき出しのクランプヘッドの描写である。
【図４】本開示による脱毛器又は脱毛器用アタッチメント内で使用され得るような端板の斜視図である。
【図５】本開示による脱毛器又は脱毛器用アタッチメント内で使用され得るようなセンタプレートの斜視図である。
【図６】本開示による脱毛器又は脱毛器用アタッチメントにおいて使用され得るような一体要素として実現されたクランプ要素及び関連のアクチュエータの斜視図である。
【図７】本開示による脱毛器又は脱毛器用アタッチメントにおいて使用され得るような閉鎖要素の斜視図である。
【図８】本開示による脱毛器又は脱毛器用アタッチメントにおいて使用され得るような圧力板の斜視図である。
【図９Ａ】心棒が時計回りに回転する状態でハウジング内に取り付けられた圧力板の正面図である。
【図９Ｂ】心棒が反時計回りに回転する状態でハウジング内に取り付けられた圧力板の正面図である。
【図１０】従来技術の文書欧州特許第Ａ１−０９２１７４４号の図６による脱毛シリンダの横断面図である。
【図１１Ａ】協働するクランプ要素の第１の開／閉状態内での従来技術による脱毛シリンダの概略横断面図である。
【図１１Ｂ】協働するクランプ要素の第２の開／閉状態の従来技術による脱毛シリンダの概略横断面図である。
【図１２Ａ】開状態の協働するクランプ要素を伴う図１Ａによる脱毛シリンダの概略横断面図である。
【図１２Ｂ】閉状態の協働するクランプ要素を伴う図１Ａによる脱毛シリンダの概略横断面図である。
【発明を実施するための形態】
【０００８】
以下では、一組の全く同じか、又は少なくとも類似の特徴部に使用され得る用語を導入する。例えば、用語「クランプ要素」を使用する。個々のクランプ要素は、その後、「第１のクランプ要素」（「第１の可動クランプ要素」と同じ）、「第２の（可動）クランプ要素」など、又は、「第１の更なるクランプ要素」、「第２の更なるクランプ要素」などと名称されることになり、一方、第１の、第２のなどのクランプ要素、並びに、任意の更なるクランプ要素含む群に「クランプ要素類」と呼ばれることになる。更に、以下では、用語「端板」は、静止クランプ要素を指すために使用されることになる。静止クランプ要素は、端板、即ち、外側ハウジング部品を形成することができるが、ハウジングに対して−脱毛シリンダの他のクランプ要素類間で−異なる位置にあるクランプ要素を形成することもできる。以下で説明するセンタプレートは、更に別の第２の静止クランプ要素をなす。更なる群のクランプ要素類には、脱毛シリンダが設けられ得る。
【０００９】
以下は、脱毛器又は脱毛器用アタッチメントの例示的な実施形態の詳細な説明を表し、論じる実施形態の１つにおいて共に示す特徴部は、図示する組立体において単に開示されることを必ずしも意図されると解釈するべきではないことに留意されたい。当業者は、当然、これが本開示の趣旨及び範囲と矛盾しない限り、本開示による脱毛器又は脱毛器用アタッチメントの特定の実現について関連がある特徴部のみが共に開示されると考えてその他を廃棄するであろう。これは、全ての特徴部は個々に開示されるとみなされるべきであり、２つの以上の特徴部を例示的な実施形態のいずれかの１つにおいて共に説明することによっていかなる強制的な関係も意図されてはいないことを意味するものとする。
【００１０】
図に示す例示的な実施形態は、クランプ要素類などの特定の数の特定の特徴部を有するが、本開示による脱毛器又は脱毛器用アタッチメントは、例えば、１つのクランプ要素のみを有し得、２つ、又は任意の他の数のクランプ要素類などを有し得ることに更に留意されたい。
【００１１】
詳細な説明を図を参照して提示する前に、脱毛器、又は脱毛器用アタッチメントのより一般的な説明が、次に来ることになる。
【００１２】
先に「課題を解決するための手段」のセクションで開示したように、脱毛器用クランプヘッド、脱毛器、又は、脱毛器用アタッチメントを参照する。アクチュエータの起動によって移動される可動クランプ要素の一体式の設置又は一体型デザインによって、製造部品の少数化及び起動の正確化が可能であり、これは、可動クランプ要素及びアクチュエータの両方の更なる製造許容差を検討する必要がないためである。その結果として、協働するクランプ要素類の、毛髪を抜く開状態及び閉状態のピンセット作用が、より正確である。
【００１３】
図１０は、従来技術によるクランプシリンダの横断面図を示す欧州特許第Ａ１−０９２１７４４号図６のコピーである。圧力板５０１及び５０２には、傾斜面５１０が設けられる。圧力板は、アクチュエータ５０３、５０４、５０５、５０６の第１の端部と当接接触する。そのアクチュエータ５０３、５０４、５０５、５０６の第２の端部は、それぞれ、可動、つまり、揺動クランプ要素５０７、５０８と当接接触する。したがって、圧力板及び変化する突出部の回転によって、回転中に、アクチュエータは、揺動クランプ要素の方に、そのクランプ要素から離れるように中央心棒軸に平行に側方に移動され、これによって、揺動クランプ要素及び隣接クランプ要素５１３、５１４によって形成された間隙が開閉する。揺動クランプ要素類は、揺動支持部５１１、５１２の周りに揺動し、これにより、クランプ要素は、ある傾斜した位置から別の傾斜した位置まで素早く動き、したがって、脱毛シリンダの、図１０で見たときに下半分で、又は上半分で抜毛間隙を開くようになっている。
【００１４】
図１１Ａ及び図１１Ｂは、より概略的に上記の原理を示し、機能的に同じ構成部品は、同じ参照番号を有する。アクチュエータ案内構造体及び揺動支持点は、その図では示されていない。
【００１５】
図１２Ａ及び１２Ｂは、両方の要素が互いから分離されず１つの部片の部分であるように、可動クランプ要素６０１が一体式に設けられるアクチュエータ６０２による可動クランプ要素６０１の起動を示す。アクチュエータ（部分）は、突出部６０４との相互作用、つまり、アクチュエータ６０２の自由端と当接接触する圧力板６０５にて供給される傾きによって、中央心棒軸６０３に平行な方向に側方に移される。対向する機能面６０８、６０９によって毛髪を間で抜く間隙６０７が、可動クランプ要素６０１、及び、同様に側方に可動、つまり、中央心棒軸６０３に対して静止して設けることができる別のクランプ要素６０６によって形成される。可動クランプ要素（部分）６０１及びその主軸は、クランプシリンダ、つまり、ヘッドが可動クランプ要素６０１の側方の位置から独立して回転する中央心棒軸６０３と常に直交する。クランプ要素及びアクチュエータは、共にＬ字形か、又は、少なくとも横断面がＬ字形（例えば、図２Ｂ及び３Ｃを参照）である。付勢ばね、又は、案内装置が、略示の図１２Ａ及び１２Ｂには図示されていない。更なるクランプ要素類が、１つのクランプヘッド／シリンダ内に設けられ得る。更なるアクチュエータが、中央心棒軸に対してほぼ同じ側方の位置にて、但し、中央心棒軸の周りの角度的にずれた位置に設けられ得る。１つの部片内のアクチュエータと可動クランプ要素との組み合わせは、全ての種類の脱毛器において、及び、脱毛器シリンダ内の様々な位置にて有益であり、顔の脱毛器に限定されない。
【００１６】
端板は、第１のクランプ要素の機能面と相互作用する第１の機能面を含む（その結果、毛髪をクランプし、最終的にはこれらの毛髪を皮膚から抜くために閉じることができる一対のピンセットが形成される）ので、かつ、端板は、脱毛器又はアタッチメントの外側部品であるので、脱毛器又はアタッチメントの外縁は、第１の対のピンセットの非常に近くに、即ち、毛髪をクランプすることができる機能面間の第１の間隙の非常に近くに実現することができる。特に、端板は、脱毛器又はアタッチメントの外面（即ち、ユーザの皮膚と接触することを対象とした外面、換言すると、ハウジング面）と、一対のピンセットの第１の機能面とを含む一体要素（即ち、単体要素）であるので、端板は、作動中に端板上へ印加され得る任意のクランプ力に耐えることができる、構造的に中実の物体を保証するために必要とされるほどに軸方向のみに肉厚であればよい。したがって、端板は、その片側に、脱毛器／アタッチメントの端面、つまり、ハウジング端面、その反対側に、クランプ要素とともに毛髪をクランプする第１の機能面を形成する。クランプ力、は、知られているように、閉状態の一対のピンセットが皮膚に相対的に移動されたときに毛髪が皮膚から抜かれたとき、クランプされた毛髪をクランプ状態に保つものとする。端板は、プラスチック、特に充填プラスチックで作製され得、０．５ｍｍ又は１．０ｍｍの軸方向の最小厚さが、端板の構造安定性を確保するのに十分であり得る。金属から作製された端板がまた、最小厚さを更に低減するために使用され得るが、これは、製造費の増大となり、金属は、皮膚にて冷たく感じられるであろう。
【００１７】
一部の実施形態では、脱毛器又はアタッチメントは、軸方向に（即ち、中央心棒軸に少なくとも平行な方向に）に弾性であるばねなどの弾性要素を更に含み、その弾性要素は、一端（端板の遠位）にて心棒に対して軸方向の関係で固定される第１のストッパー要素に当接して配置され、例えば、第１のストッパー要素は、心棒又はハウジングと固定接続される（後者は、心棒が軸方向の運動に対してロックされることを意味する）。弾性要素の他端は、その後、（端板の方に向く）機能面を有する圧力板に当接し得、機能面は、軸方向に延在する突出部を有する。弾性要素は、軸方向の運動に対してストッパー要素によりロックされる間、したがって、軸方向に圧縮されるとき、即ち、圧力板が弾性要素の他端に押し当たるときに、戻り力を供給することができる。
【００１８】
一部の実施形態では、脱毛器又はアタッチメントは、少なくとも第１のクランプ要素に関連した第１のアクチュエータを更に含む。第１のアクチュエータは、その後、作動中に圧力板の機能面と少なくとも間欠的に摺り接触するように配置される。端板に遠位の第１のアクチュエータの端部が、したがって、少なくとも、圧力板の機能面の軸方向の突出部の一部と摺り接触し得る。第１のアクチュエータは、軸方向の突出部に関して摺動するときに端板の方へ（かつ、その端板から離れるように）軸方向に可動であるように配置される。第１のアクチュエータは、その後、端板の方へ第１のクランプ要素を移動させて、これにより、対面して配置された端板の第１の機能面、及び第１のクランプ要素の機能面が、軸方向の幅を有する間隙がその機能面に延在する開位置から、その機能面がクランプ接触する閉位置に移動するようになっている。軸方向の突出部は、軸方向に、軸方向の間隙幅より高くなり得、したがって、端板、第１のクランプ要素及び第１のアクチュエータの中実構造体によって、圧力板が軸方向に押し進められて端板から離れ、これによって、次に、弾性要素が圧縮され、したがって弾性要素によって供給された戻り力のために、閉状態の機能面間のクランプ力が増強される。
【００１９】
一部の実施形態では、（軸方向に延在し得る）第１のばね要素が、端板と第１のクランプ要素との間に配置され、これにより、第１のばね要素は、２つの機能面を開位置に保ち、一方、他のいかなる閉力も、第１のばね要素のばね力を克服しないようになっている。第１のばね要素は、弾性要素のばね定数と比較すると相対的に低いばね定数を有し得る。ばね要素は、例えばねコイルばねとして実現され得、かつ、更に、より長い毛髪をコイルばねの巻き部分間でクランプすることができ、したがって、第１のばね要素が毛髪のクランプ及び抜きを支持することができるように配置され得る。
【００２０】
一部の実施形態では、少なくとも第２のクランプ要素が設けられ、第２のクランプ要素は、端板の第２の機能面とともに対面して配置される機能面を有し得る。端板の第２の機能面は、端板の第１の機能面から円周方向に、任意で、軸方向にも変位され得る。同様に、第２のクランプ要素は、第１のクランプ要素から円周方向に、任意で（開位置で）、軸方向にも変位され得る。第２のクランプ要素は、第２のアクチュエータに関連し得る。一部の実施形態では、第３のクランプ要素が存在し得、追加的に、第４のクランプ要素が存在し得、任意で、第５のクランプ要素が存在し得るなどする。したがって、クランプ要素類の第１の群は、１〜５個のクランプ要素類を含み得、更にそのような群は、設けられた第１の群に軸方向に変位され得る。一部の実施形態では、クランプ要素類は、完全な３６０°（潜在的に、製造許容差のために小さい間隙付きで）に跨るように配置され得る。あるいは、クランプ要素類は、角度距離が円周方向に偏位したクランプ要素類間にあるように、３６０°未満に跨るよう配置され得、例えば、５つのクランプ要素類のそれぞれは、５０°に跨り得、２２°の距離は、したがって、隣接クランプ要素類の間にあり得る。各クランプ要素は、１対１式で独自のアクチュエータに関連し得る。端板は、したがって、それぞれ、互いから軸方向に変位される、いくつかの機能面を含み、端板の機能面の軸方向の変位は、端板と異なる軸方向の突出部によって提供され、これによって、結果的に、各機能面について端板の一部が異なる厚さとなる。
【００２１】
一部の実施形態では、例えば、軸方向に延在するピンによって少なくともある程度実現され得る軸方向に延在する接続構造体によって、端板に対して軸方向にかつ角度的にロックされ得る閉鎖要素が存在する。一部の実施形態では、軸方向に延在する接続構造体は、２つ以上の軸方向に延在するピンを含み得る。閉鎖要素は、第１のアクチュエータを案内する少なくとも第１の案内構造体を特に有し得、任意で、閉鎖要素は、各アクチュエータについて案内構造体を有し得る。一部の実施形態では、第１の案内構造体は、軸方向に延在する接続構造体、例えば、軸方向に延在するピンの一部によって実現され得る。
【００２２】
一部の実施形態では、脱毛器又はアタッチメントは、軸方向に延在する接続構造体によって、例えば、少なくとも第１の軸方向に延在するピンによって、端板に対して軸方向にかつ角度的にロックされ得るセンタプレートを更に含む。そのような実施形態では、閉鎖要素は、軸方向に延在する接続構造体によって、センタプレートに対して軸方向にかつ角度的にロックされ得る。一部の実施形態では、センタプレートは、センタプレートを端板と結合する２つ又は更にはそれ以上の軸方向に延在するピンを有し、軸方向に延在する接続構造体は、したがって、センタプレートで一体式に実現され得る。センタプレートは、少なくとも第１の機能面が設けられる、圧力板の方に向く機能側を有し得る。一部の実施形態では、センタプレートの第１の機能面とともに対面して配置される機能面を有する、第１の更なるクランプ要素が設けられる。第１の更なるアクチュエータが、第１の更なるクランプ要素と関連し得る。前に述べたように、（それぞれ、独自の更なるアクチュエータと関連し得、かつ、それぞれ、センタプレートのそれぞれの機能面とともに対面して配置され得る機能面を有する）更に追加的なクランプ要素類が存在し得、任意で、これらの更なるクランプ要素類のそれぞれは、端板と協働するクランプ要素類について前に述べたように、互いから円周方向に、かつ、任意で、軸方向にも変位され得る。したがって、センタプレートを使用することによって、１つ以上の更なるクランプ要素類の更なる外周構成部を設けることができる。一部の実施形態では、センタプレートは、軸方向にかつ角度的にロックされ得る、即ち、センタプレートを閉鎖要素と結合する、軸方向に延在するピンによって静止し得る。そのような組立体では、端板、センタプレート、及び閉鎖要素は、堅く接続されて、クランプ要素類及びアクチュエータの枠組構造を提供する。
【００２３】
一部の実施形態では、少なくとも、第１のクランプ要素及び第１のアクチュエータは、一体要素として製造される。この一体要素は、プラスチック射出成形法により特に製造され得、変形例では、補強プラスチック材（例えば、ガラス繊維又は他の補強溶加材が充填）が使用される場合もあれば、使用されない場合もある。
【００２４】
一体成形された第１のアクチュエータ及び第１のクランプ要素は、横断面が本質的にＬ字形であり、第１のクランプ要素部分は、第１のアクチュエータ部分と直交する。両脚、つまり、アクチュエータ及び第１のクランプ要素の部分は、したがって、直角に組み合わされる。他の角度が、特殊用途について可能であり得る。
【００２５】
第１のクランプ要素は、中央心棒軸に沿った方向に移動されるように配置され、上記の第１のクランプ要素又はその主軸は、心棒に対する任意の運動位置において中央心棒軸に対して直交したままであるように配置される。アクチュエータ又はその主軸、及び、可動／第１／第２／第３のクランプ要素又はその主軸は、両方の部分の間で直角に形成される。アクチュエータは、中央心棒軸に平行に延在する構造体によって案内される。したがって、可動／第１／第２／第３のクランプ要素の主軸は、中央心棒軸に対して常に直交する。
【００２６】
一部の実施形態では、圧力板は、心棒が時計回りに回転されたときの心棒周りの第１の角度位置と、心棒が反時計回りに回転されたときの心棒周りの第２の角度位置とを有する。これは、固定ハウジングに対して同じ角度位置への両方の回転方向について閉鎖点を移すことを可能にする。
【００２７】
図１Ａは、本開示による脱毛器１の例示的な実施形態の描写である。脱毛器１は、特に、顔面皮膚領域、例えば眉、又は鼻の近くの皮膚領域などの小さい領域の脱毛に好適であり得る。脱毛器１は、クランプヘッド１００を有するアタッチメント１０と、ハンドル２０とを有する。ハンドル２０は、ユーザの手に保持されるように配置され、これにより、そのハンドルは、次いで保持軸Ｌ（ハンドル２０の長手方向の延在軸と一致）に沿って延在するようになっている。ハンドル２０は、脱毛器１をオフ及びオンにし、並びに／又は、クランプヘッドの回転方向を切り替える（即ち、時計回りの回転と反時計回りの回転との間で切り替わる）スイッチ２１を含み得る。ハンドル２０は、ユーザの親指がスイッチ２１を作動させることができるように保持されることを対象とし得る。エラストマ面２２は、滑り防止特性の強化のためにスイッチ２１の反対側に配置され得る。アタッチメントは、管状のハウジング１１を有し得、かつ、クランプヘッド１００の側面を覆う保護キャップ１２を追加的に有し得る。クランプヘッド１００は、アタッチメント１０の横方向側部にて毛髪を脱毛するように配置される。一部の実施形態では、アタッチメント１０は保持軸Ｌ対して傾斜される中央軸Ａに沿って延在し得、これにより、作動時、クランプヘッド１００の機能側（即ち、脱毛側）がユーザの皮膚と整合されたとき、ハンドル２０は、その後、皮膚から離れるように突出し、これによって、単一の軸に沿って完全に延在する脱毛器とは対照的に、脱毛器の作動が容易になるようになっている。保持軸Ｌと中央軸Ａとの間の傾斜角Ｗは、約２°〜約３０°の範囲にあり得る。一部の実施形態では、アタッチメント１０は、ハンドル２０に対して繰り返し分離可能及び装着可能であるように配置され、これにより、アタッチメント１０は、磨耗した場合に新しいアタッチメントに入れ替えることができるか、あるいは、駆動回転若しくは駆動揺動のために配置されるブラシを含み得るブラシアタッチメント、又はマッサージアタッチメント、角質除去アタッチメントなどの別の機能アタッチメントと交換することができるようになっている。アタッチメント１０及びハンドル２０は、その後、それぞれ、協働するスナップ要素（例えば、片側のスナップフック及び反対側の協働する逃げ溝）などの、両方の部品を共に分離可能に結合する、協働する結合構造体も含み得る。スナップ要素は、共にスナップ嵌めされ、かつ、クランプ要素類の回転軸に沿った方向の単純な運動によって（スナップ解除ボタンを押す必要なく）互いから解除され得るハンドルとアタッチメントとの間のスナップ嵌合接続部を提供する。
【００２８】
先の冒頭の一節により、例えば、エラストマ面２２又は保護キャップ１２は、当然、明らかに、当業者によって選択されるか又は廃棄され得る特徴部であり、したがって、互いに関連して、又は更には図１Ａに示す全ての他の特徴部に関連して単に開示されると考えるべきではないと記述されている。そのような特徴部は、本発明の趣旨に影響を与えることさえなく廃棄することができる。以下の一部の特定の更なる例以外には、論じる特徴部の全てについては、個々に開示されると考えられるべきであるとは具体的には示されないことになるが、このことは、当業者に明白であるはずであり、また、本開示全体であれば、事実上判読しがたいものなるからである。
【００２９】
図１Ｂは、図１Ａに示す脱毛器１の長手方向の横断面図である。ハンドル２０は、バッテリ、又は、ＤＣモーターなどの駆動装置３１に電気的に結合され得る充電式アキュムレータなどのエネルギー源３０を含み得る。エネルギー源３０の長手方向の延在軸は、保持軸Ｌに平行であり得る。駆動装置３１は、一部の実施形態ではアタッチメント１０の中央軸Ａに並列、又は、その中央軸と全く同じであるドライブ心棒軸Ｂに沿って延在する駆動軸３２（したがって、保持軸Ｌがアタッチメント１０の中央軸Ａ対して傾斜される実施形態では、保持軸Ｌ対して傾斜されることになる）を含み得る。ハンドル２０は、作動時、心棒４０が駆動されて動くように、駆動装置３１の駆動軸３２をアタッチメント１０の心棒４０と連結する歯車装置３３を更に含み得る。心棒４０は、心棒コネクタ要素４１を含み得、これにより心棒４０が歯車装置３３に結合される。
【００３０】
図２Ａは、分離された状態で示すアタッチメント１０の描写である。図１Ａ及び１Ｂと同じ特徴部は、同じ参照番号によって示される。
【００３１】
図２Ｂは、図２Ａに示すアタッチメント１０を通って切断された長手方向の横断面図である。アタッチメント１０は、中空の本質的に管状のハウジング１１と、クランプヘッド１００と、保護キャップ１２と、図１Ａ及び１Ｂに示すように、アタッチメント１０の中央軸Ａと一致し得る中央心棒軸Ｃを有する心棒４０とを含む。心棒４０は、軸受５０によって支持され、一部の実施形態では、異なる軸方向の位置に位置する少なくとも２つの軸受が、心棒４０の中央心棒軸Ｃの安定化向上のために設けられる。図示する例示的な実施形態では、軸受５０は、ロック要素５１によって心棒４０との軸方向の位置関係で固定され、ロック要素５１は、より詳細に以下で更に説明するように、力の伝達を閉鎖する役目も果たす。更に、軸方向にロックされた軸受５０、５１は、ここでは、第１のストッパー要素の役目も果たす。一部の実施形態では、軸受は、他の場所に配置され得、第１のストッパー要素は、心棒４０上でロックされたロック要素によって実現され得るか、又は、第１のストッパー要素は、ハウジング１１の突出部によって実現され得る。軸方向に（即ち、中央心棒軸Ｃの方向に）弾性である弾性要素６０が、軸受５０上で、ここではロック要素５１とともに第１のストッパー要素を実現する第１の端部と当接する。弾性要素６０は、ばね定数を有する、即ち、弾性要素６０は、軸方向に圧縮されたときに戻り力を供給する。軸方向の弾性要素６０の第２の端部が、圧力板７０の後部に当接する。弾性要素６０は、コイルばね又は円盤ばね（又は、円盤ばねのスタック）などのばねによって実現され得る。心棒４０は、中央心棒軸Ｃの周りの駆動回転のために配置され、アタッチメント１０の装着された状態で、心棒４０は、心棒４０が結合要素４１を介して結合され得る駆動装置によって駆動されて回転することができる。
【００３２】
図３Ａは、第１のストッパー要素を実現する軸方向にロックされた軸受５０、弾性要素６０、及び圧力板７０とともに心棒４０上に取り付けられたクランプヘッド１００の例示的な実施形態の側面図である。クランプヘッド１００は、ここでは、端板１１０と、センタプレート１４０と、閉鎖要素１７０とを含む。また、図３Ｂ及び３Ｃを参照すると、クランプヘッド１００は、互いから円周方向及び軸方向に変位される一組の５つのクランプ要素１２０Ａ、１２０Ｂ、など（即ち、第１のクランプ要素、第２のクランプ要素など）を含む。また、更に以下で図４及び６を参照して説明するように、端板１１０は、次に、それぞれ、クランプ要素類１２０の異なる１つの機能面と対面して配置される５つの機能面（即ち、第１の機能面、第２の機能面など）を有する。機能面は、中央心棒軸に本質的に垂直の平面で延在する。図示する実施形態では、端板１１０の５つの機能面は、本質的に３６０°に跨り、これにより、各機能面が、約７２°に跨るようになっている。例えば、端板１１０の第１の機能面及び関連の第１のクランプ要素１２０のそれぞれの機能面は、軸方向に幅を有する間隙が２つの機能面間に延在する開位置と、端板１１０の第１の機能面が第１のクランプ要素の機能面に当接する閉位置とを有する。閉位置で機能面間でクランプされ得る任意の毛髪は、最終的には皮膚から抜かれることになる。端板１１０の機能面は、軸方向に変位して配置され得、これにより、機能面のそれぞれとクランプ要素類のそれぞれの関連の機能面との間の間隙は、軸方向では重なり合わないか、又は、重なり合うのはある程度のみ、例えば、軸方向の幅の２０％未満であるようになっている。図示する実施形態のクランプヘッド１００は、やはり、互いから円周方向及び軸方向に変位される一組の５つの更なるクランプ要素１５０Ａ、１５０Ｂ．．．（即ち、第１の更なるクランプ要素、第２の更なるクランプ要素など）を更に含む。以下で図５を参照して説明するように、センタプレート１４０は、次に、やはり円周方向及び軸方向に変位される５つの機能面（即ち、第１の機能面、第２の機能面など）を有し得る。端板１１０の機能面及びクランプ要素１２０Ａ、１２０Ｂなどの機能面を参照して述べられた内容の全ては、センタプレート１４０の機能面、及び更なるクランプ要素１５０Ａ、１５０Ｂなどの機能面に必要に応じて準用するものとする。
【００３３】
更に以下でより詳細に説明するように、各クランプ要素は、アクチュエータに関連し得る（即ち、第１のクランプ要素１２０Ａは、次に、第１のアクチュエータ１３０Ａと、第２のクランプ要素１２０Ｂは、第２のアクチュエータ１３０Ｂと．．．、第１の更なるクランプ要素１５０Ａは、第１の更なるアクチュエータ１６０Ａと関連する、など）。図示する実施形態では、アクチュエータは、閉鎖要素１７０によって案内される棒状要素であり、これにより、アクチュエータは、軸方向に閉鎖要素１７０を越えて圧力板７０の方へ延在するようになっている。また、更に以下（図８）でより詳細に説明するように、圧力板７０は、関連のクランプ要素類に遠位のアクチュエータの端部に対面する機能面を有し得、その端部は、閉鎖要素１７０を越えて延在する。圧力板７０の機能面は、アクチュエータの端部の方へ軸方向に突出する軸方向の突出部７１を有し得る。心棒４０とともに回転されるとき、アクチュエータは、アクチュエータの端部が少なくとも間欠的に圧力板７０の機能面と摺り接触することができるように配置され、特に、軸方向の突出部７１に関して少なくともある程度摺動するように配置される。アクチュエータ、したがって関連のクランプ要素類は、次に、端板１１０（又は、センタプレート１４０）の方へ軸方向に移動され、これにより、それぞれのクランプ要素の機能面は、２つの機能面間の間隙が閉状態になり、対面して配置された機能面が互いに当接するまで、端板１１０（又は、センタプレート１４０）のそれぞれの対面して配置された機能面の方へ移動するようになっている。また、弾性要素６０は、次に、軸方向に圧縮され得、次に、当接する機能面が毛髪をクランプするクランプ力を供給することになる。心棒４０との軸方向の関係で固定され、かつ、弾性要素６０が軸方向に当接する第１のストッパー要素は、次に、力伝達閉鎖機能性を提供する、即ち、第１のストッパー要素は、大きな変形又は破壊なしにクランプ要素類及び端板（又はセンタプレート）の関連の機能面を連続的に閉じるプロセスにおいて発生する力に耐えるように配置される必要がある。
【００３４】
図３Ｂは、クランプヘッド１００の斜視分解図である。一部の実施形態では、第２のストッパー要素４２は、心棒４０と固定接続され、その第２のストッパー要素４２は、一方では、端板１１０が心棒４０のそれぞれの端部と本質的に面一になるように、端板１１０のストッパーを提供し、他方では、心棒４０が駆動されて回転するときに端板１１０の窪みとぴったり合って（あるいは又は更に圧力嵌めで）結合し、したがって端板１１０を回転させる役目を果たす係合要素を提供する。一部の実施形態では、端板自体は、心棒上に（例えば、溶接、接着などによって）直接に固定され得るか、心棒と一体であり得るか、又は、いかなる軸方向の運動が事実上抑制されるように、心棒にてストッパー要素によって固定され得る。端板１１０は、一組の円周方向及び軸方向に変位した機能面１１１Ａ、１１１Ｂ、１１１Ｃ、１１１Ｄ及び１１１Ｅを有する（明らかに、１つのクランプ要素のみを有する実施形態では、端板は、１つの機能面のみを有することになり、２つのクランプ要素類を有する実施形態では、端板は、互いから円周方向に及び／又は軸方向に変位され得る２つの機能面を有する、など）。第１の機能面１１１Ａの中心より下方には、ばね要素１８０Ａを受容する空洞、又は、窪み１１２Ａが配置され得、同様に、そのような空洞がまた、他の機能面より下方に実現され得る。対向して配置された空洞又は窪みの少なくとも１つが、それぞれのばね要素が摺動され得る中央ピンを含み得る。あるいは、少なくとも１つの場合にのみ、そのような中央ピンが、空洞又は窪みの代わりに存在し得る。一組の５つのクランプ要素１２０Ａ、１２０Ｂ、１２０Ｃ、１２０Ｄ及び１２０Ｅは、クランプ要素類のそれぞれの機能面が、端板１１０の機能面のうちの１つと対面して配置されるように、配置される。より一般的には、ばね要素が、端板と第１のクランプ要素との間に配置されて、閉力がばね要素の力を克服するまでこれらの部品を開位置に保ち得る。
【００３５】
図６を参照すると、空洞又は窪み１２２Ａが、クランプ要素類のそれぞれの機能面より下方に設けられ得、これにより、この空洞が端板１１０のそれぞれの空洞と対面して（即ち、対向して）配置されるようになっている。各一対の、対向して配置された空洞は、ばね要素１８０Ａ、１８０Ｂなどの１つの端部を受容し得る。ばね要素１８０Ａ、１８０Ｂ、などは、以下に更に説明するように、それぞれのクランプ要素が閉力で付勢されない限り、対面して配置された機能面を開位置に、即ち、軸方向の幅を有する間隙が機能面間に延在する位置に保つために設けられる。軸方向の間隙幅は、約０．０５ｍｍ〜約２．０ｍｍの範囲にあり得る。図示する実施形態では、クランプ要素類１２０Ａ、１２０Ｂ、１２０Ｃ、１２０Ｄ及び１２０Ｅのそれぞれは、それぞれのアクチュエータ１３０Ａ、１３０Ｂ、１３０Ｃ、１３０Ｄ及び１３０Ｅと（１対１の意味で）関連づけられる。
【００３６】
ここでは、クランプ要素類及びそれぞれの関連のアクチュエータは、それぞれ、プラスチック射出成形によって、特に強化プラスチック材料、例えば、グラスファイバ充填プラスチック材から製造され得る一体要素として実現される。これは、一部の実施形態では、クランプ要素類及びそれぞれの関連のアクチュエータの少なくとも一部が、別個の部品として実現されることを除外しないものとする。
【００３７】
センタプレート１４０は、端板１１０と閉鎖要素１７０との間に配置され得る。センタプレート１４０は、一組の５本の軸方向に延在するピン１４８Ａ、１４８Ｂ、１４８Ｃ、１４８Ｄ、及び１４８Ｅを有し得、そのピンのうち、少なくとも１本は、組み付け中に端板のそれぞれの空洞に圧嵌めされるように配置され得る。センタプレート１４０はまた、一組の５本の軸方向に延在する更なるピン１４９Ａ、１４９Ｂ、１４９Ｃ、１４９Ｄ、及び１４９Ｅを有し、そのピンのうち、少なくとも１本は、組み付け中に閉鎖要素１７０のそれぞれの空洞に圧嵌めされるように配置される。各軸方向に延在する（更なる）ピンは、２つの隣接（更なる）クランプ要素類の側方の半円切り抜き部と協働するように配置され、したがって、（更なる）クランプ要素類の案内構造体の役目も果たす。センタプレート１４０は、したがって、図示する例示的な実施形態では、センタプレートを閉鎖要素と、センタプレートを端板と接続する、軸方向に延在する接続構造体と一体式に実現される。一部の実施形態では、軸方向に延在する（更なる）ピンは、端板（閉鎖要素）と一体式に実現され得、一方、一部の実施形態では、軸方向に延在するピンは、別個の部品として配置され得る。一部の実施形態では、軸方向に延在する（更なる）ピンのうちの少なくとも１本は、端板又はセンタプレート（閉鎖要素）と一体式に実現され得、少なくとも１本の軸方向に延在するピンが、別個の部品であり得る。
【００３８】
端板１１０及びクランプ要素類１２０Ａ〜１２０Ｅの組み付けについて説明したように、センタプレート１４０は、一組の５つの更なるクランプ要素類１５０Ａ、１５０Ｂ、１５０Ｃ、１５０Ｄ、及び１５０Ｅのそれぞれの機能面と対面して配置される、５つの互いから軸方向及び円周方向に変位した機能面を含み得る。ばね要素１９０Ａ、１９０Ｂなどが、やはり、機能面より下方に（即ち、それぞれの機能面よりも心棒４０に近い半径方向の位置に）実現された（潜在的に円形の）空洞（中央ピンを特に含み得る）内で受容され、これにより、対面して配置された機能面が、それぞれの更なるクランプ要素がクランプ力で付勢されない限り、軸方向の幅を有する間隙が機能面間に延在する開位置に保たれるようになっている。やはり、更なるクランプ要素類１５０Ａ、１５０Ｂ、１５０Ｃ、１５０Ｄ、及び１５０Ｅのそれぞれは、１つの更なるアクチュエータ１６０Ａ、１６０Ｂ、１６０Ｃ、１６０Ｄ、及び１６０Ｅに関連し、やはり、更なるクランプ要素類及び関連のアクチュエータは、別個の要素である代わりに、それぞれの場合に一体要素として実現され得る。更なるクランプ要素類のこの組は、一組のクランプ要素類に円周方向に偏位し（ここでは３６°の角度、即ち、クランプ要素の半分の角度幅で）、これにより、アクチュエータ及び更なるアクチュエータは、代替的に、円周方向に配置されるようになっている。
【００３９】
閉鎖要素１７０は、アクチュエータ及び更なるアクチュエータを案内する１０個の本質的に矩形の、かつ、軸方向に延在する案内構造体１７１Ａ、１７１Ｂなど及び１７２Ａ、１７２Ｂ、などを含む。一部の実施形態では、アクチュエータの少なくとも１つは、長方形断面の代わりに円形、楕円形、三角形などの横断面を有する。一部の実施形態では、少なくとも２つのアクチュエータは、異なる断面形態を有する。アクチュエータ及び更なるアクチュエータの長さは、付勢されない状態において、同じ軸方向の位置に（即ち、閉鎖要素を越えて圧力板の方に）全て延在するように選択される。
【００４０】
図３Ｃは、心棒４０上に取り付けられた、組み付けられたクランプヘッド１００の長手方向の横断面である。図３Ａ及び３Ｂで説明したのと同じ特徴部は、同じ参照番号が割り当てられる。
【００４１】
更に以下でより詳細に説明するように、圧力板７０は、心棒が駆動されて回転するときに心棒の周りに一定の角度位置を有し、したがって、圧力板７０は、心棒とともに回転しない（圧力板７０は、回転が時計回りの方向に生じるときには、回転が反時計回りの方向に生じるときと異なる角度位置を有するように配置され得、これにより、圧力板７０の心棒の周りの特定の回転自由度を与えることができるようになっている）。図８とともに図３Ａからわかるように、圧力板７０上の軸方向の突出部７１の外周位置は、クランプ要素類が開放位置から閉状態の位置に移動される位置を決定し、閉状態の位置では、クランプ要素類及び端板のうちの一方の（又は、更なるクランプ要素類及びセンタプレートのうちの一方の）対面して配置された機能面は、互いに当接する。軸方向の突出部７１は、中央平坦域セクション７１Ａと、平坦域セクション７１Ａの２つの外周側にて配置される２つの傾斜セクション７１Ｂ及び７１Ｃとを有する。先に述べたように、アクチュエータ１３０Ａ、１３０Ｂなど、及び１６０Ａ、１６０Ｂなどの軸方向の端部１３１Ａ、１３１Ｂなど、及び１６１Ａ、１６１Ｂ．．．は、圧力板７０の機能面７２と少なくとも間欠的に摺動係合するように配置される、即ち、アクチュエータの端部は、少なくとも、回転方向によっては軸方向の突出部７１の、それぞれ、傾斜セクション７１Ｂ及び７１Ｃのうちの一方と摺り接触し始める。一部の実施形態では、アクチュエータの端部は、常に、圧力板の機能面７２と絶えず摺り接触し得、一方、他の実施形態では、アクチュエータの軸方向の端部は、システムにおける摩擦によるエネルギー損失を低減するために、軸方向の突出部７１の外側で機能面７２と摺り接触しないように配置され得る。したがって、第１のアクチュエータ１３０Ａの遠位端１３１Ａが傾斜セクション７１Ｂと摺り接触したとき、第１のアクチュエータ１３０Ａは、端板１１０の方へ移動され、それによって、関連の第１のクランプ要素１２０Ａを第１のばね要素１８０Ａの付勢力に対して端板１１０の方へ移動させる。典型的には、アクチュエータ１３０Ａの軸方向の端部１３１Ａが平坦域セクション７１Ａに到達する前、第１のクランプ要素１３０Ａの対面して配置された機能面及び端板１１０の第１の機能面は、閉位置にある、即ち、互いに当接する。アクチュエータが傾斜セクション７１Ｂ（又は、７１Ｃ）に沿って平坦域セクション７１Ａの方へ更に移動するとき、圧力板は、弾性要素６０（図３Ａを参照）の方に押し進められ、弾性要素は、圧縮され、したがって、クランプ力が増強され、クランプ力は、その後、第１のアクチュエータ１３０Ａの軸方向の端部１３１Ａが平坦域セクション７１Ａに関して摺動する間は一定である。閉状態の機能面間にクランプされた毛髪は、若干機能面を押し開けることになり、これによって、弾性要素６０の更なる圧縮が生じ、したがって、クランプ力が更に増大する。対面して配置された機能面は、第１のアクチュエータ１３０Ａの端部１３１Ａが平坦域セクション７１Ａに関して摺動する限り、閉位置にある。平坦域セクション７１Ａは、クランプヘッドが皮膚に対して回転する間に機能面間にクランプされた毛髪が皮膚から抜かれるように選択される角度範囲に跨る。機能面は、第１のアクチュエータ１３０Ａの軸方向の端部１３１Ａが第２の傾斜セクション７１Ｃ（又は、７１Ｂ）に沿って下方に摺動するときにばね要素１８０Ａのばね力によって再び開かれ、開力は、閉力よりも大きくなる（又は、閉力は消える）。
【００４２】
図４は、端板１１０の例示的な実施形態の機能側の斜視図である。端板１１０は、機能側の半径方向の外縁上に配置された第１の機能面１１１Ａを有する。第１の機能面１１１Ａより下方に半径方向に、端板１１０と第１のクランプ要素１３０Ａ（図６を参照）との間に配置された第１のばね要素を受容する第１の空洞１１２Ａが設けられ、これにより、第１のクランプ要素１３０Ａの機能面が、第１のクランプ要素１３０Ａが端板１１０の方へクランプ力で付勢されない限り、端板１１０の第１の機能面１１１Ａまで距離を保つようになっている。図４に示すように、第１の空洞は、第１のばね要素１８０Ａを保持する及び／又は中央に置く、中央軸方向に延在する突出部を有し得る。端板１１０はまた、センタプレート１４０（図５を参照）の軸方向に延在するピン１４８Ａを受容する第１のピン空洞１１３Ａを有し得る。明らかに、ピン空洞（又は、ピン空洞類）は、任意であり、更に、設けられた場合、ピン空洞（空洞類）はまた、ピン（ピン類）を閉鎖要素から受容し得る。端板１１０は、一部の実施形態では、特に端板１１０の半径方向の外縁にて円周方向に変位して配置され得る２つ以上の機能面１１１Ａ、１１１Ｂ．．．を有し得、機能面は、任意で（代替的に又は追加的に）、異なる軸方向のレベル上に配置され得る、即ち、機能面は、軸方向に変位して配置される。図示する例示的な実施形態では、端板１１０は、５つの機能面１１１Ａ、１１１Ｂ、１１１Ｃ、１１１Ｄ、１１１Ｅと、ばね要素を受容するそれぞれ５つの空洞１１２Ａ〜１１２Ｅと、また、５つのピン空洞１１３Ａ〜１１３Ｅとを有する。機能面はそれぞれ７２°の角度幅に跨り得るが、各機能面は、例えば、異なる軸方向のレベル間の９０°壁部を許容しない製造上の理由のために、事実上、より小さい角度幅（例えば６０°）に跨り得るにすぎない。一部の実施形態では、機能面は、異なる角度幅に跨り得る。
【００４３】
図５は、本開示による脱毛器又は脱毛器用アタッチメントの一部の実施形態において使用され得るセンタプレート１４０の例示的な実施形態の斜視図である。センタプレート１４０は、特に一組の更なるクランプ要素の使用を容易にするために使用され得る。センタプレート１４０は、端板１１０（図４を参照）のそれぞれのピン空洞１１３Ａによって受容されるように配置された端部セクションを有する、第１の軸方向に延在するピン１４８Ａを有し得る。センタプレート１４０は、特に、端板１１０のそれぞれのピン空洞によって受容されるように配置された端部セクションを有する、２つ以上の軸方向に延在するピン１４８Ａ、１４８Ｂなどを有し得る。図示する実施形態では、センタプレート１４０は、５本の軸方向に延在するピン１４８Ａ〜１４８Ｅを有する。軸方向に延在するピンの端部セクションの少なくとも１つ及びそれぞれのピン空洞は、圧嵌めのために配置され得、これにより、端板１１０及びセンタプレート１４０が、組み付けられた状態で相対的な強力に共に接合されるようになっている。センタプレート１４０は、閉鎖要素（図７を参照）のそれぞれの空洞１７３Ａによって受容されるように配置された端部セクションを有する、第１の軸方向に延在する更なるピン１４９Ａを追加的に有し得る。やはり、センタプレート１４０は、特に、少なくとも１つが閉鎖要素のそれぞれのピン空洞によって受容されるように配置され得る端部セクションを有する、２つ以上の軸方向に延在する更なるピン１４９Ａ、１４９Ｂなどを有し得る。図示する実施形態では、センタプレート１４０は、５本の軸方向に延在する更なるピン１４９Ａ〜１４９Ｅを有する。利用可能な構造容積によっては、１つ又はいくつかの更なるセンタプレートが、更により多くの組の更なるクランプ要素類を容易にするように順番に配置され得ることに留意されたい。
【００４４】
上述した軸方向に延在する（更なる）ピンは、端板に対して閉鎖要素を軸方向に及び角度的にロックする、軸方向に延在する接続構造体の一部であると述べている。図示しかつ説明したように、軸方向に延在する接続構造体はまた、端板と閉鎖要素との間に配置されたセンタプレートを、軸方向に及び角度的にロックし得る。一部の実施形態では、端板を閉鎖要素と、又は、端板をセンタプレートと、及び、センタプレートを閉鎖要素と接続する、軸方向に延在する接続構造体は、端板、センタプレート及び／又は閉鎖要素の少なくとも１つと一体式に実現される代わりに、個々の軸方向に延在するピンとして実現され得る。一部の実施形態では、少なくとも１つの軸方向に延在するピンが、一体要素として実現され得、少なくとも１つの軸方向に延在するピンが、個々の（即ち、別個の）ピンとして実現され得る。
【００４５】
センタプレート１４０は、第１の機能面１４１Ａをセンタプレート１４０の機能側の半径方向の外縁にて含み得、第１の機能面１４１Ａは、第１の更なるクランプ要素１５０Ａ（図３Ａ〜３Ｃを参照）の機能面と対面して配置され得る。センタプレート１４０は、互いから円周方向及び／又は軸方向に変位され得る２つ以上の機能面１４１Ａ、１４１Ｂなどを特に含み得る。端板について説明したように、センタプレート１４０は、ばね要素１９０Ａ、１９０Ｂなど（図３Ｂを参照）を受容するために機能面より下方に半径方向にそれぞれ配置された、１つ以上の空洞１４２Ａ、１４２Ｂなどを含み得る。
【００４６】
図６は、第１のクランプ要素１２０Ａ、及び第１のクランプ要素１２０Ａに関連した第１のアクチュエータ１３０Ａの斜視図である。図示する実施形態では、第１のクランプ要素１２０Ａ及び第１のアクチュエータ１３０Ａは、例えば、特に充填プラスチック材料が使用され得るプラスチック射出成形法によって一体式に製造される。他の実施形態では、第１のアクチュエータは、第１のクランプ要素とは別個である。第１のクランプ要素１２０Ａは、組み付けられたクランプヘッド１００（図３Ａ〜３Ｃを参照）では、端板１１０（図４を参照）の第１の機能面１１１Ａと対面して配置される機能面１２１Ａを有する。第１のクランプ要素１２０Ａは、ばね要素１８０Ａ（図３Ｂ、３Ｃを参照）の端部を受容する空洞１２２Ａを含み得る。第１のクランプ要素１２０Ａは、切り抜き部１２３Ａ及び１２４Ａを第１のクランプ要素１２０Ａの円周側にて含み得、切り抜き部１２３Ａ、１２４Ａは、例えば、ほぼ半円の形状を有し得る。切り抜き部１２３Ａ、１２４Ａは、第１のクランプ要素１２０Ａの安定化及び／又は半径方向の誘導のために、軸方向に延在するピンを受容し得る。第１のアクチュエータ１３０Ａは、第１のクランプ要素１２０Ａに遠位である端部１３１Ａを有する。この遠位端１３１Ａは、図３Ａ〜３Ｃ及び図８を参照して説明したように、少なくとも、圧力板７０の機能面７２との間欠的な摺り接触のために、組み付けられたクランプヘッド内に配置される。
【００４７】
図７は、閉鎖要素１７０の例示的な実施形態の前側の斜視図であり、前側は、クランプヘッドの組み付けられた状態でセンタプレートに対面する（又は、センタプレートのない実施形態では、端板に対面する）側である。閉鎖要素１７０は、センタプレート又は端板によって設けられた軸方向に延在するピンを受容する１つ以上のピン空洞１７３Ａ、１７３Ｂなどを含み得る。明らかに、この構成はまた、逆にされ得、閉鎖要素１７０は、軸方向に延在するピンを有し得るか、又は、ピン空洞及び軸方向に延在するピンの組み合わせを有し得る。閉鎖要素１７０は、第１のアクチュエータ１３０Ａを受容及び案内する本質的に矩形の横断面を有し得る、少なくとも第１の軸方向に延在する案内構造体１７１Ａを有し得る。閉鎖要素１７０は、アクチュエータ１３０Ａ、１３０Ｂなどを受容する２つ以上の軸方向に延在する案内構造体１７１Ａ、１７１Ｂ、などを有し得る。一部の実施形態では、閉鎖要素１７０は、軸方向に延在する案内構造体１７１Ａ、１７１Ｂなどとともに代替的に配置され得る、更なる軸方向に延在する案内構造体１７２Ａ、１７２Ｂ、などを含み得る。軸方向に延在する案内構造体１７１Ａ、１７２Ａ、１７１Ｂ、１７２Ｂ、などは、組み付けられた状態で、心棒と同軸に配置され得る。軸方向に延在する案内構造体は、それぞれのアクチュエータが本質的にいかなる隙間なしで案内されるように、特に寸法決定され得る。軸方向に延在する案内構造体（並びに閉鎖要素全体、並びに／又はクランプ要素類、アクチュエータ及びセンタプレートなどのクランプヘッドの他の移動若しくは案内構成部品）を画定する壁部は、任意でポリテトラフルオロエチレン（ＰＴＦＥ）などの低摩擦（すなわち自己潤滑性）材料から作製され得る。
【００４８】
図９Ａ及び９Ｂは、脱毛器及び脱毛器用アタッチメントのハウジング１１の内側に取り付けられた圧力板７０の機能面７２の図を示し、図９Ａは、時計回りの方向Ｒ１（時計回りはここでは図の方向に対して定義される）の心棒４０の（及び、したがって、またクランプヘッドの）回転に関する圧力板７０の角度位置を示し、図９Ｂは、心棒４０の反時計回り方向の場合の圧力板７０の角度位置を示す。先に説明したように、脱毛器は、時計回りの回転と反時計回りの回転との間で切り替わるスイッチを有し得る。これによって、次に、クランプ機能性を保ちながら右手から左手に、及びその逆に脱毛器を切り替えることが可能である。圧力板７０は本質的に心棒４０と結合されず、したがって、心棒４０とともに必ずしも回転をするというわけではないが、機能面７２とアクチュエータの遠位端部との間の摩擦は、回転するように圧力板を駆動する。対面して配置された機能面の角度閉位置は脱毛器のハウジングに対して固定されるものとするので、圧力板７０は、ハウジング１１にて設けられたそれぞれの第１のストッパー要素１１Ａと協働して圧力板７０の更なる回転を停止させるストッパー要素７３を有する。反時計回りの回転の場合、図９Ａに示す角度位置に圧力板７０が固定されれば、閉位置の円周方向への移動が生じることになり、閉鎖が発生するのは、アクチュエータが第２の傾斜セクション７１Ｃに関して摺動するときではなく、アクチュエータが第１の傾斜セクション７１Ｂに関して摺動するときになるからである。したがって、ハウジング１１は、圧力板の異なる角度位置にて、圧力板７０のストッパー要素７３と協働する第２のストッパー要素１１Ｂを有し、これにより、対面して配置された機能面の閉鎖点は、ハウジング１１に対して同じ角度位置にて起こるようになっている。圧力板７０は、したがって、第１の角度位置と第２の角度位置との間で移動されるように配置される。図９Ａ及び図９Ｂを参照して論じる特定の特徴部はまた、本開示で論じる他の特徴部から独立したものと、したがって、更なる態様を表すと考えられるものとする。
【００４９】
一部の実施形態では、圧力板は、プラスチック基材及び金属板から作製され得、金属板は、圧力板の機能面の少なくとも一部を実現し、これにより、圧力板の機能面は、向上した耐摩耗性（より高い製造費によりバランス調整）を有するようになっている。クランプシリンダを含む脱毛器／脱毛器用アタッチメントの圧力板をそのような方法で製造することは、本開示の独立した態様と考えられ得る。
【００５０】
他の特徴部に関連して特徴部として説明され得る本開示の一部の態様は、実際、本開示の個々の態様と考えられ得る。これは、例えば、ハンドルの保持軸とアタッチメントの中央軸との間の傾斜角に関する。先に論じたように、そのような傾きは、特に脱毛器が脱毛器ヘッドの側面への（即ち、脱毛器の横方向側部での）クランプ作用を提供するクランプヘッドを含む場合に、脱毛器の使用を容易にする。これはまた、心棒が時計回りに回転するか、又は反時計回りに回転するかに応じて、心棒の周りで異なる角度位置を有するための圧力板の配置に関する。
【００５１】
したがって、更に独立した態様により、脱毛器は、ユーザの手に保持されるハンドルと、ヘッドセクションとを含み、ヘッドセクションは、心棒の中央軸の周りの駆動回転のために配置されたクランプヘッドを含む、分離可能なアタッチメントとして任意で配置され得、ハンドルは、心棒の中央軸に対して傾斜される保持軸を画定し、傾斜角は、約１°〜約４５°の範囲にあり得る。本開示において説明する全ての他の特徴部は、この態様に追加され得る。
【００５２】
したがって、更に独立した態様により、脱毛器又は脱毛器用アタッチメントは、圧力板を含み、圧力板は、心棒が時計方向の回転へ駆動されたときの心棒の周りの第１の角度位置と、心棒が反時計回りの回転へ駆動されたときの第２の角度位置とを有するように配置される。本開示において説明する全ての他の特徴部は、この態様に追加され得る。
【００５３】
本開示において説明する全ての他の特徴部は、少なくとも、これがこれらの独立した態様の範囲及び趣旨に反しないという範囲でここで説明する独立した態様に個別に又は集合的に追加され得ることに留意されたい。
【００５４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」と開示された寸法は、「約４０ｍｍ」を意味するものである。
【図１Ａ】
2016516512.tif 000003
【図１Ｂ】
2016516512.tif 000004
【図２Ａ】
2016516512.tif 000005
【図２Ｂ】
2016516512.tif 000006
【図３Ａ】
2016516512.tif 000007
【図３Ｂ】
2016516512.tif 000008
【図３Ｃ】
2016516512.tif 000009
【図４】
2016516512.tif 000010
【図５】
2016516512.tif 000011
【図６】
2016516512.tif 000012
【図７】
2016516512.tif 000013
【図８】
2016516512.tif 000014
【図９Ａ】
2016516512.tif 000015
【図９Ｂ】
2016516512.tif 000016
【図１０】
2016516512.tif 000017
【図１１Ａ】
2016516512.tif 000018
【図１１Ｂ】
2016516512.tif 000019
【図１２Ａ】
2016516512.tif 000020
【図１２Ｂ】
2016516512.tif 000021
【国際調査報告】
2016516512.tif 000022
2016516512.tif 000023
2016516512.tif 000024